(57)【要約】【課題】遊技者がハンドルの回転位置を一度決めてから追加的にハンドルを回すことがあっても、構成部品に損耗が生じることを抑制できる遊技機用ハンドルを提供する。【解決手段】遊技者により回転操作される操作部２と、前記操作部２の回転操作に伴い回転する伝達軸５と、前記回転操作がされていない状態において、前記操作部２及び前記伝達軸５の回転位置を初期位置に復帰させる回転復帰部と、前記伝達軸５に接続され、入出力接続時に前記操作部２及び前記伝達軸５の回転位置を保持できる電磁接続手段７と、前記電磁接続手段７の入出力接続時に前記操作部２が回転操作された際、前記電磁接続手段７に滑りが生じるトルクよりも小さいトルクで、前記伝達軸５の回転を許容する回転許容部８と、を備える遊技機用ハンドルＨである。【選択図】図３
2018038786.tif 000002
【特許請求の範囲】
【請求項１】
遊技者により回転操作される操作部と、
前記操作部の前記回転操作に伴い回転する伝達軸と、
前記回転操作がされていない状態において、前記操作部及び前記伝達軸の回転位置を初期位置に復帰させる回転復帰部と、
前記伝達軸に接続され、入出力接続時に前記操作部及び前記伝達軸の回転位置を保持できる電磁接続手段と、
前記電磁接続手段の入出力接続時に前記操作部が前記回転操作された際、前記電磁接続手段に滑りが生じるトルクよりも小さいトルクで、前記伝達軸の回転を許容する回転許容部と、を備える遊技機用ハンドル。
【請求項２】
前記電磁接続手段は、当接・離反するよう構成され当接時に生じる摩擦力により入出力接続される一対の接続要素を備えた電磁クラッチであり、
前記一対の接続要素のうち一方は、前記伝達軸と連動するよう接続され、他方は前記伝達軸とは異なる部分に接続されており、
前記回転許容部による前記伝達軸の回転の許容は、前記一対の接続要素に設定された前記入出力接続時の摩擦力よりも、前記回転許容部と前記電磁接続手段との間に設定された、滑りが生じ始める際の摩擦力の方が小さいことによりなされる、請求項１に記載の遊技機用ハンドル。
【請求項３】
遊技機の前方に突出して設けられて前記遊技者が把持する把持部を備え、
前記把持部には前記操作部が設けられ、
前記電磁接続手段は、前記把持部よりも後方に位置する、請求項１または２に記載の遊技機用ハンドル。
【請求項４】
前記電磁接続手段は、前記伝達軸に対して固定された円筒状のボス部を備え、
前記回転許容部は、前記ボス部の外周面に巻き付けられた状態とされ両端部が前記ボス部から離れるように延びるアーム部を備えたブレーキスプリングと、前記伝達軸の回転に連動して前記アーム部に当接するよう設けられたスプリングガイドとを備える、請求項１〜３のいずれかに記載の遊技機用ハンドル。
【請求項５】
遊技機の前方に突出して設けられて前記遊技者が把持する把持部を備え、
前記把持部には、前記遊技者の手が触れることにより作動するタッチセンサが設けられ、
前記電磁接続手段は、前記タッチセンサの作動時に入出力接続状態となる、請求項１〜４のいずれかに記載の遊技機用ハンドル。
【請求項６】
前記伝達軸は軸方向に延びる空間部を備える、請求項１〜５のいずれかに記載の遊技機用ハンドル。
【発明の詳細な説明】
【技術分野】
【０００１】
本発明は、例えばパチンコ機において玉の発射操作をするための遊技機用ハンドルに関するものである。
【背景技術】
【０００２】
パチンコ機では、玉の発射操作を遊技者が行うためのハンドルが遊技機の前面に設けられている。このハンドルは、可動とされた操作部を遊技者が回転させることにより、回転位置に応じた打撃力で玉を発射させられる。このハンドルの回転位置を遊技中に保持できるように、例えば特許文献１に示すような電磁ブレーキを設けた構成のハンドルが提案されている。この構成では、遊技者がハンドルを触ることによりオンとなるタッチスイッチを備えている。タッチスイッチがオンの場合に電磁ブレーキが働いて、ハンドルの回転位置が保持される。
【０００３】
ところで遊技者は、ハンドルにおける操作部の回転位置を一度決めてから追加的に操作部を回すことがある。遊技者がハンドルに触れたままの状態でこのような操作がされると、タッチスイッチがオフにならないことがある。この場合には、電磁ブレーキが働いたまま無理に操作部が回される。そうすると、電磁ブレーキに滑りが生じてしまい、電磁ブレーキの構成部品に摩耗が生じる。このため従来の構成では、構成部品に損耗が生じ、これに伴いハンドルの操作部の回転トルクが変動してしまう可能性もあるので好ましくなかった。
【先行技術文献】
【特許文献】
【０００４】
【特許文献１】特開平１１−１１４１５４号公報
【発明の概要】
【発明が解決しようとする課題】
【０００５】
そこで本発明は、遊技者がハンドルの回転位置を一度決めてから追加的にハンドルを回すことがあっても、構成部品に損耗が生じることを抑制できる遊技機用ハンドルを提供することを課題とする。
【課題を解決するための手段】
【０００６】
本発明は、遊技者により回転操作される操作部と、前記操作部の前記回転操作に伴い回転する伝達軸と、前記回転操作がされていない状態において、前記操作部及び前記伝達軸の回転位置を初期位置に復帰させる回転復帰部と、前記伝達軸に接続され、入出力接続時に前記操作部及び前記伝達軸の回転位置を保持できる電磁接続手段と、前記電磁接続手段の入出力接続時に前記操作部が前記回転操作された際、前記電磁接続手段に滑りが生じるトルクよりも小さいトルクで、前記伝達軸の回転を許容する回転許容部と、を備える遊技機用ハンドルである。
【０００７】
この構成によれば、電磁接続手段の入出力接続時に操作部が回転操作された際、電磁接続手段に滑りが生じ始めるより先に回転許容部が伝達軸の回転を許容するため、電磁接続手段に滑りが生じることを抑制できる。このため、構成部品が損耗するような無理が電磁接続手段にかかることを抑制できる。
【０００８】
そして、本発明は、前記電磁接続手段は、当接・離反するよう構成され当接時に生じる摩擦力により入出力接続される一対の接続要素を備えた電磁クラッチであり、前記一対の接続要素のうち一方は、前記伝達軸と連動するよう接続され、他方は前記伝達軸とは異なる部分に接続されており、前記回転許容部による前記伝達軸の回転の許容は、前記一対の接続要素に設定された前記入出力接続時の摩擦力よりも、前記回転許容部と前記電磁接続手段との間に設定された、滑りが生じ始める際の摩擦力の方が小さいことによりなされることができる。
【０００９】
この構成によれば、伝達軸の回転の許容を摩擦力により調整できるため、摩擦力を生じる要素により回転許容部を構成できる。このため、回転許容部を簡素な構成とできる。
【００１０】
そして、本発明は、遊技機の前方に突出して設けられて前記遊技者が把持する把持部を備え、前記把持部には前記操作部が設けられ、前記電磁接続手段は、前記把持部よりも後方に位置することができる。
【００１１】
この構成によれば、電磁接続手段が把持部内に位置していないため、放熱性が良好で電磁接続手段の過熱を抑制できる。
【００１２】
そして、本発明は、前記電磁接続手段は、前記伝達軸に対して固定された円筒状のボス部を備え、前記回転許容部は、前記ボス部の外周面に巻き付けられた状態とされ両端部が前記ボス部から離れるように延びるアーム部を備えたブレーキスプリングと、前記伝達軸の回転に連動して前記アーム部に当接するよう設けられたスプリングガイドとを備えることができる。
【００１３】
この構成によれば、伝達軸の回転により、ブレーキスプリングにおけるアーム部のうち一方がスプリングガイドに当接した状態で更にボス部が回転することで、ブレーキスプリングとボス部との間で滑りを生じさせることができる。このため、ブレーキスプリングをボス部へ巻き付ける際の締め付け度合により、回転許容部のトルク設定を容易にできる。
【００１４】
そして、本発明は、遊技機の前方に突出して設けられて前記遊技者が把持する把持部を備え、前記把持部には、前記遊技者の手が触れることにより作動するタッチセンサが設けられ、前記電磁接続手段は、前記タッチセンサの作動時に入出力接続状態となることができる。
【００１５】
この構成によれば、タッチセンサにより、遊技者は遊技中に操作部を回転操作し続ける必要がなく、把持部に手を添えるだけでよい。このため、遊技中の遊技者の疲労を低減できる。
【００１６】
そして、本発明は、前記伝達軸が軸方向に延びる空間部を備えることができる。
【００１７】
この構成によれば、空間部を利用して伝達軸に電気配線等を通すことができる。このため、遊技機用ハンドルの全体的なコンパクト化をはかることができる。
【発明の効果】
【００１８】
本発明では、構成部品が損耗するような無理が電磁接続手段にかかることを抑制できる。よって、遊技者がハンドルの回転位置を一度決めてから追加的にハンドルを回すことがあっても、構成部品に損耗が生じることを抑制できる。
【図面の簡単な説明】
【００１９】
【図１】本発明における一実施形態に係るハンドルを示す、正面側から見た斜視図である。
【図２】同ハンドルの縦断面図である。
【図３】同ハンドルを示す、上下逆の状態で背面側から見た斜視図である。
【図４】本発明における他の実施形態に係るハンドルの縦断面図である。
【発明を実施するための形態】
【００２０】
本発明につき、一実施形態を取り上げて、図面とともに以下説明を行う。なお、以下の方向の説明において、遊技者に近づく方向を「前方」、遊技者から遠ざかる方向を「後方」とする。
【００２１】
本実施形態の遊技機用ハンドル（以下「ハンドル」と表記）Ｈは、例えば図１及び図２に示すような形状とされている。図示はしないが、このハンドルＨはパチンコ機等の遊技機の前面に設けられ、遊技者により操作される。本実施形態のハンドルＨは、主に、把持部１、操作部２、回転復帰部３、タッチセンサ４、伝達軸５、出力部６、電磁接続手段の一例としての電磁クラッチ７、回転許容部８を備える。
【００２２】
把持部１は、遊技機の前方に突出しており、遊技者が把持する部分である。把持部１には操作部２、回転復帰部３（図２参照）、タッチセンサ４が設けられている。
【００２３】
操作部２は遊技者により回転操作される可動部分である。操作部２は初期位置（回転量が０の位置）から時計回り方向に回転操作される。操作部２の後方には伝達軸５が連動するように接続されており、操作部２の回転操作に伴い回転する。伝達軸５の後方には出力部６としての可変抵抗ユニットが接続されており、操作部２及び伝達軸５の回転位置に応じて抵抗値が変化する。パチンコ機の場合、出力部６の抵抗値変化に応じ、パチンコ機の本体に設けられた制御部によって、玉を発射する打撃力を変化させられる。
【００２４】
回転復帰部３であるリターンスプリングは、操作部２を反時計回りに付勢する。操作者が操作部２から手を離すことにより回転操作がされていない状態において、リターンスプリング３の付勢により、操作部２及び伝達軸５の回転位置を初期位置に復帰させることができる。
【００２５】
タッチセンサ４は、把持部１において操作部２の後方に設けられたリング状部分である。このタッチセンサ４は、遊技者の手が触れることにより作動し、遊技者の手が離れることにより非作動となる。このため、物理的なオンオフ動作を要するスイッチを把持部１に設けることに比べると、遊技者がさほど意識することなく作動可能である。また、物理的に移動する部分を無くすことができるため、部品の摩耗等による故障を防止できる。
【００２６】
本実施形態の伝達軸５は、図２に示すような中実軸とされている。しかしこれに限定されず、図４に示すように軸方向に延びる空間部５１を備えた中空軸とすることもできる。この場合、例えば空間部５１を利用して伝達軸５に電気配線５２等を通すことができる。このように空間部５１を利用することで、伝達軸５の外部に電気配線５２を配置しなくてもよくなるため、遊技機用ハンドルＨの全体的なコンパクト化をはかることができる。また、空間部５１を積極的に利用しない場合であっても、伝達軸５を中空軸とすることで遊技機用ハンドルＨの軽量化をはかることができる。
【００２７】
伝達軸５に空間部５１を設けた場合、空間部５１は種々に用いることができる。例えば前述のように電気配線５２を通すほか、例えば把持部１から噴出させるための空気等の気体や、油圧駆動のための油等の液体を伝達軸５に通すために用いることができる。
【００２８】
電磁クラッチ７は、伝達軸５に接続され、通電時（励磁時）に操作部２及び伝達軸５の回転位置を保持できる。この保持を行うため、この電磁クラッチ７は、当接・離反するよう構成され当接時に生じる摩擦力により入出力接続されて入出力接続状態（連結状態）となる、一対の接続要素であるロータ７１及びアマチュア７２を備える。この一対の接続要素のうち一方（ロータ７１）は伝達軸５と連動するよう接続され、他方（アマチュア７２）は伝達軸５とは異なる部分であって、伝達軸５とは連動しない部分に接続されている。本実施形態においては枠部９に接続されている。具体的には図３に示すように、把持部１の後方に固定された枠部９に略円柱状のスプリングガイド８１が固定されている。そして、電磁クラッチ７とスプリングガイド８１との間にブレーキスプリング８２を介在させることで、前記一対の接続要素のうち他方（アマチュア７２）が接続されている。この接続は位置ずれが全く生じない固定的なものではなく、前記一対の接続要素のうち他方（アマチュア７２）の回転を、電磁クラッチ７の通電時であり、所定トルク以上かかった場合に許容するような接続である。詳細は、回転許容部８に関する以下の説明において述べる。なお、スプリングガイド８１及びブレーキスプリング８２の形状はこれに限定されず、種々の形状とできる。
【００２９】
電磁クラッチ７の後部には、円筒状のボス部７３を備える。このボス部７３は伝達軸５に対して固定されている。このため、伝達軸５の回転に伴ってボス部７３に回転力がかかる。
【００３０】
電磁クラッチ７はタッチセンサ４の作動時に通電する。タッチセンサ４により、遊技者は遊技中に操作部２を回転操作し続ける必要がなく、把持部１に、タッチセンサ４に触れるように手を添えるだけでよい。このため、遊技中の遊技者の疲労を低減できる。詳しく述べると、本実施形態では、タッチセンサ４の作動から所定時間後（数秒後）に電磁クラッチ７に通電するよう制御される。遊技者が最適と思う位置に操作部２の回転位置が定まるにはある程度時間がかかり、回転位置を微調整することが通例であって、電磁クラッチ７に即時に通電されると操作性が悪くなるためである。
【００３１】
本実施形態の電磁クラッチ７は、図２に示すように、把持部１よりも後方である枠部９に位置する。このように、電磁クラッチ７が密閉された把持部１内に位置しない構成であるため、熱がこもりにくくて放熱性が良好であり、電磁クラッチ７の過熱を抑制できる。
【００３２】
回転許容部８は、電磁クラッチ７の通電時に遊技者により操作部２が回転操作された際、電磁クラッチ７に滑りが生じるトルクよりも小さいトルクで伝達軸５の回転を許容する。回転許容部８による伝達軸５の回転の許容は、電磁クラッチ７における一対の接続要素（ロータ７１、アマチュア７２）に設定された入出力接続時の摩擦力よりも、回転許容部８と前記電磁クラッチ７との間に設定された、滑りが生じ始める際の摩擦力の方が小さいことによりなされる。言い換えると、電磁クラッチ７の連結トルクよりも回転許容部８の作動トルクの方が小さくなるよう、回転許容部８が形成されている。
【００３３】
具体的にこの回転許容部８は、図３に示すように、電磁クラッチ７が備えるボス部７３、スプリングガイド８１、ブレーキスプリング８２により構成されている。ブレーキスプリング８２は、本体部８２１がボス部７３の外周面に巻き付けられた状態とされ、両端部がボス部７３から、ボス部７３の外周面の接線方向に離れるように延びるアーム部８２２を備える。スプリングガイド８１は、伝達軸５の回転に連動してアーム部８２２に当接するよう設けられている。ただし、常時当接していてもよい。
【００３４】
伝達軸５の回転に伴ってボス部７３が回転する際には、ボス部７３と共にブレーキスプリング８２も回転する。そうすると、回転方向に応じてブレーキスプリング８２のアーム部８２２のうち一方がスプリングガイド８１に当接する。この当接状態で更にボス部７３が回転すると、ブレーキスプリング８２のボス部７３への締め付け度合に応じて、ボス部７３とブレーキスプリング８２との間で滑りが生じる。この滑りによって、回転許容部８は伝達軸５の回転を許容する。このように、本実施形態の回転許容部８は、伝達軸５の回転の許容を摩擦力により調整できるため、摩擦力を生じる要素により回転許容部８を構成できる。このため、回転許容部８を簡素な構成とできる。
【００３５】
次に、電磁クラッチ７及び回転許容部８の作用に関して説明する。電磁クラッチ７の非通電時（非励磁時）において、遊技者によって操作部２に加えられた回転力は、操作部２から伝達軸５を介して出力部６に伝達される。このとき電磁クラッチ７は、一対の接続要素のうち一方（ロータ７１）が伝達軸５と共に回転する。しかし、一対の接続要素のうち他方（アマチュア７２）は接続されておらずロータ７１に対して自由状態であるため、アマチュア７２の回転は自由になされる。
【００３６】
操作部２及び伝達軸５の回転位置が初期位置にない状態で電磁クラッチ７を通電（励磁）すると、一対の接続要素のうち一方（ロータ７１）と他方（アマチュア７２）とが接続され、入出力接続状態となる。前述のように、アマチュア７２は伝達軸５と連動しない部分に接続されているので、操作部２及び伝達軸５の回転位置はそのまま保持される。
【００３７】
ここで、遊技者の手がタッチセンサ４に触れたままであって、電磁クラッチ７が通電（励磁）状態の時、遊技者が追加的にハンドルＨの操作部２を回す場合について述べる。この場合、操作部２に加えられた回転力は、操作部２から伝達軸５に伝達される。この回転力は、入出力接続状態となっている電磁クラッチ７の所定部分（具体的には、ボス部７３と連動する部分）を回転させるが、この回転は、ブレーキスプリング８２によるボス部７３の締め付けに打ち勝ってなされる。つまりこの時、回転許容部８は伝達軸５の回転を許容する。そしてこの時、電磁クラッチ７は全体が（ロータ７１とアマチュア７２とが位置ずれしない状態で）操作部２の回転操作に伴って回転する。
【００３８】
ブレーキスプリング８２によるボス部７３の締め付けに打ち勝つトルクは、電磁クラッチ７における一対の接続要素のうち一方（ロータ７１）と他方（アマチュア７２）とが滑り始めるトルクよりも小さく設定されている。このため、電磁クラッチ７の通電時に操作部２が回転操作された際、電磁クラッチ７に滑りが生じ始めるより先に回転許容部８が伝達軸５の回転を許容するため、電磁クラッチ７に滑り（具体的にはロータ７１とアマチュア７２との間での位置ずれ）が生じることを抑制できる。よって、構成部品が損耗するような無理が電磁クラッチ７にかかることを抑制できる。これにより、電磁クラッチ７の連結性能を長期にわたって維持できる。
【００３９】
そして、伝達軸５の回転により、ブレーキスプリング８２のアーム部８２２のうち一方がスプリングガイド８１に当接した状態で更にボス部７３が回転することで、ブレーキスプリング８２とボス部７３との間で滑りを生じさせることができる。ブレーキスプリング８２をボス部７３へ巻き付ける際の締め付け度合により、回転許容部８のトルク設定を容易にできる。
【００４０】
なお、回転復帰部３が生じる、操作部２及び伝達軸５の回転位置を初期位置に復帰させるためのトルクをＡとし、電磁クラッチ７におけるロータ７１とアマチュア７２との間の伝達トルクをＢとし、回転許容部８において操作部２及び伝達軸５の回転が許容されるトルクをＣとすると、Ａ〜Ｃの大小関係はＡ＜Ｃ＜Ｂに設定されている。
【００４１】
電磁クラッチ７の通電時に遊技者により操作部２が回転操作された際、従来のハンドルでは前記Ｂよりも大きなトルク（電磁クラッチに滑りが生じるトルク）をかけないと回転操作できなかったが、本実施形態のハンドルＨでは、前記Ｃよりも大きなトルクではあるが前記Ｂよりも小さなトルク（電磁クラッチ７に滑りが生じないトルク）をかければ回転操作可能である。
【００４２】
以上、本発明につき一実施形態を取り上げて説明してきたが、本発明は、前記実施形態に限定されるものではなく、本発明の要旨を逸脱しない範囲で種々の変更が可能である。
【００４３】
例えば、前記実施形態の電磁クラッチ７は、通電時に入出力接続がされるものであったが、これとは逆に、非通電時に入出力接続がされるものであってもよい。
【００４４】
また、前記実施形態では電磁接続手段として電磁クラッチ７を用いていたが、伝達軸５に接続され、入出力接続時に操作部２及び伝達軸５の回転位置を保持できるように構成されていれば他の手段を用いることができる。例えば電磁ブレーキを用いることも可能である。
【００４５】
また、回転許容部８は、前記実施形態では、ボス部７３、ブレーキスプリング８２、スプリングガイド８１の組み合わせで構成されていたが、電磁クラッチ７の連結トルクよりも回転許容部８の作動トルクの方が小さくなるようなトルク差を設定して回転許容部８が形成されていればよく、種々の構成で実施可能である。
【００４６】
例えば、ブレーキスプリング８２に代え、電磁クラッチ７の一部（ボス部７３等）に摩擦力をもって当接するブロック材を用いて前記トルク差を設定してもよい。また、前記ブロック材のほか、可撓性のある布状のもの（例えば布、革、フェルト）等を用いることもできる。また、摩擦力を用いる構成以外として、例えば物理的な接触がない電磁力を利用したヒステリシスブレーキを用いて前記トルク差を設定してもよい。
【符号の説明】
【００４７】
１          把持部
２          操作部
３          回転復帰部、リターンスプリング
４          タッチセンサ
５          伝達軸
５１        空間部
７          電磁接続手段、電磁クラッチ
７１        一対の接続要素のうち一方、ロータ
７２        一対の接続要素のうち他方、アマチュア
７３        ボス部
８          回転許容部
８１        スプリングガイド
８２        ブレーキスプリング
８２２      ブレーキスプリングのアーム部
Ｈ          （遊技機用）ハンドル
【図１】
2018038786.tif 000003
【図２】
2018038786.tif 000004
【図３】
2018038786.tif 000005
【図４】
2018038786.tif 000006